(57)【要約】【課題】簡易な構造で、従来のものよりも低コストで製造できると共に、紐部材をより確実に挟持でき、架線への取り付け作業もより容易に行うことができる紐部材連結具を提供する。【解決手段】紐部材係合部３０が、折り返し部３１と軸部１０とにより形成され、これらの間で紐部材を挟持する。折り返し部３１は、軸部１０を中途から折り返し、少なくとも一部を密接させたものであるため、両者は常時接近方向に弾性が働く。従って、簡易な構成でありながら、紐部材を確実に挟持でき、製作コストの低減も図ることができる。【選択図】  図８
0003183880.tif 000002
【実用新案登録請求の範囲】
【請求項１】
金属製線材を曲げ加工して形成され、一端側に、所定箇所に架け渡された架線に係合される架線係合部を有し、他端側に、被支持部材を支持するための紐部材が係合される紐部材係合部を有する紐部材連結具であって、
前記架線係合部は、螺旋状に形成され、隣接する螺旋部間に前記架線を位置させた後任意の角度回転させ、螺旋部の中で前記架線に沿って対向する２つの対向部の一方が前記架線の一面側に接し、他方が前記架線の他面側に接するように配置され、他端方向への外力により、前記一方の対向部が前記架線の一面側を押圧し、前記他方の対向部が前記架線の他面側を押圧する力が作用する構成であり、
前記紐部材係合部は、前記架線係合部から他端方向に延びる軸部に沿うように折り返して形成され、前記軸部に接近する方向に付勢された折り返し部を有し、この折り返し部と前記軸部とにより前記紐部材を挟持する構成であることを特徴とする紐部材連結具。
【請求項２】
前記金属製線材がばね材からなる請求項１記載の紐部材連結具。
【請求項３】
前記折り返し部は、少なくとも一部が前記軸部に密接する密接部となっている請求項１又は２記載の紐部材連結具。
【請求項４】
前記架線係合部の螺旋部の巻数が２〜５巻きである請求項１〜３のいずれか１に記載の紐部材連結具。
【請求項５】
前記紐部材係合部を構成する前記折り返し部は、前記密接部から端部に向かうに従って、前記軸部から離間するように曲げられている請求項３又は４記載の紐部材連結具。
【請求項６】
前記架線係合部が上部に、前記紐部材係合部が下部に位置するように、前記架線に吊り下げられて使用され、下方向への外力により、前記架線係合部が前記架線に係合する請求項１〜５のいずれか１に記載の紐部材連結具。
【請求項７】
前記被支持部材が植物であり、前記紐部材係合部に係合される紐部材が当該植物を誘引するための誘引紐である請求項６記載の紐部材連結具。
【考案の詳細な説明】
【技術分野】
【０００１】
本考案は、一端側を架線に係合させ、他端側に被支持部材を支持するための紐部材が係合される紐部材連結具に関する。
【背景技術】
【０００２】
紐部材によって被支持部材を支持し、その紐部材を任意の箇所に架け渡された架線に連結する場合、例えば、衣類、タオル、靴などを吊すハンガーを所定の高さに架け渡された架線に引っかける際、ハンガーに備え付けのフックでは架線にうまく取り付けられない場合がある。このような場合、当該フックに紐部材（ＰＰ紐等）の一端を結びつけ、その他端を架線に結びつけて吊したりすることがある。
【０００３】
また、施設園芸等の現場では、植物の茎や蔓等の自重による垂れ下がりを防止するため、誘引紐を茎等に結びつけ、それによって植物を支持し、茎等を所定の方向に誘引することが行われている。この場合、植物が結びつけられる誘引紐の上端部は、例えば温室の所定高さの位置に架け渡さした架線（誘引線）に連結されて配設される。
【０００４】
上記のように、衣類や植物などの被支持部材を支持する紐部材を架線に連結する場合、架線が比較的高い位置に配設されていることが多く、この架線に紐部材を連結しようとすると、作業者は手を頭部よりも高い位置にまで伸ばさなければならず、作業を行いにくい。特許文献１では、この点を考慮し、紐部材と架線との間に介在され、紐部材の連結を簡易に行うことができる誘引紐吊り具を開示している。これは、針金を曲げて形成されたもので、上部に誘引線（架線）に連結される誘引線吊り下げ部が、下部に紐部材が連結される誘引紐取付部が設けられている。
【先行技術文献】
【特許文献】
【０００５】
【特許文献１】実用新案登録第３１１６８７５号
【考案の概要】
【考案が解決しようとする課題】
【０００６】
特許文献１の誘引紐吊げ具は、誘引紐取付部がコイル状に巻回された複数のループから構成され、隣接するループ間に誘引紐が挟持される。すなわち、ループ同士が互いに密着しようとする力（初張力）によって誘引紐が保持されるが、複数のループを形成しなければならないため、形状が複雑で製作コストもかかる。
【０００７】
また、特許文献１のものは、誘引線吊り下げ部の角部とその下方に位置する戻り止め部との間隙に誘引線（架線）を位置させて使用されるが、誘引線をその間隙に位置させるためには、その間隙の手前に位置する縦軸部とヘアピン部との間に誘引線を通さなければならない。縦軸部とヘアピン部とは密着しているため、両者の弾性に抗して広げながら誘引線を通さなければならず、誘引線が太い場合には、挿入しにくいという問題がある。また、ヘアピン部とフック部を形成し、さらにその中間に戻り止め部を位置させた形状であるため、形状が複雑で製作に手間がかかる。
【０００８】
本考案は上記に鑑みなされたものであり、簡易な構造で、従来のものよりも低コストで製造できると共に、紐部材をより確実に挟持でき、架線への取り付け作業もより容易に行うことができる紐部材連結具を提供することを課題とする。
【０００９】
上記課題を解決するため、本考案の紐部材連結具は、 金属製線材を曲げ加工して形成され、一端側に、所定箇所に架け渡された架線に係合される架線係合部を有し、他端側に、被支持部材を支持するための紐部材が係合される紐部材係合部を有する紐部材連結具であって、前記架線係合部は、螺旋状に形成され、隣接する螺旋部間に前記架線を位置させた後任意の角度回転させ、螺旋部の中で前記架線に沿って対向する２つの対向部の一方が前記架線の一面側に接し、他方が前記架線の他面側に接するように配置され、他端方向への外力により、前記一方の対向部が前記架線の一面側を押圧し、前記他方の対向部が前記架線の他面側を押圧する力が作用する構成であり、前記紐部材係合部は、前記架線係合部から他端方向に延びる軸部に沿うように折り返して形成され、前記軸部に接近する方向に付勢された折り返し部を有し、この折り返し部と前記軸部とにより前記紐部材を挟持する構成であることを特徴とする。
【００１０】
前記金属製線材がばね材からなることが好ましい。前記折り返し部は、少なくとも一部が前記軸部に密接する密接部となっていることが好ましい。前記架線係合部の螺旋部の巻数が２〜５巻きであることが好ましい。前記紐部材係合部を構成する前記折り返し部は、前記密接部から端部に向かうに従って、前記軸部から離間するように曲げられていることが好ましい。前記架線係合部が上部に、前記紐部材係合部が下部に位置するように、前記架線に吊り下げられて使用され、下方向への外力により、前記架線係合部が前記架線に係合することが好ましい。前記被支持部材が植物であり、前記紐部材係合部に係合される紐部材が当該植物を誘引するための誘引紐とする場合に好適に使用される。
【考案の効果】
【００１１】
本考案によれば、紐部材係合部が、折り返し部と軸部とにより形成され、これらの間で紐部材を挟持する。折り返し部は、軸部を中途から折り返され、両者間には常時接近方向に弾性が働いている。従って、簡易な構成でありながら、紐部材を確実に挟持でき、製作コストの低減も図ることができる。
【００１２】
架線係合部は、螺旋状に形成されており、螺旋部間は密着されていない。従って、架線を所定位置に挿入する作業が容易であり、従来より架線への取り付け作業が容易化される。また、螺旋状に形成するだけであるため、製作が容易で、コストも低減できる。
【図面の簡単な説明】
【００１３】
【図１】図１は、本考案の一の実施形態に係る紐部材連結具を示す斜視図である。
【図２】図２は、上記実施形態の紐部材連結具を正面図である。
【図３】図３は、上記実施形態の紐部材連結具を背面図である。
【図４】図４は、上記実施形態の紐部材連結具を平面図である。
【図５】図５は、上記実施形態の紐部材連結具を底面図である。
【図６】図６は、上記実施形態の紐部材連結具を右側面図である。
【図７】図７は、上記実施形態の紐部材連結具を左側面図である。
【図８】図８は、上記実施形態の紐部材連結具に誘引紐を連結する過程を示す図である。
【図９】図９は、上記実施形態の紐部材連結具を架線に引っかけた状態を示す斜視図である。
【考案を実施するための形態】
【００１４】
以下、図面に示した実施形態に基づき本考案を説明する。本実施形態の紐部材連結具１は、金属製線材を曲げ加工して形成され、軸部１０に対して一端側に架線係合部２０を有し、他端側に紐部材係合部３０を有する。なお、金属製線材はばね材から形成することが好ましい。後述するように、紐部材係合部３０を構成する軸部１０と折り返し部３１とが常時接近する方向に付勢されることになるため、それらに挟持される紐部材が抜けにくくなる。
【００１５】
架線係合部２０は、縦軸部１０の一端側に形成され、任意の箇所に架け渡された架線（例えば、温室内において、植物の上方に架け渡された誘引線）に係合される部位である。架線係合部２０は、螺旋状に形成され、好ましくは２〜５巻き（本実施形態では２巻き）の螺旋部２１を有するように形成されている。螺旋部２１は、所定の直径となるように曲成すればよく、特許文献１の特殊形状のものと比較すると、簡易に製作できる。また、架線係合部２０は、螺旋部２１の中で、架線の配置方向に沿って（すなわち、約１８０度）対向する２つの対向部２１ａ，２１ｂの一方が架線の一面側に接し、他方が架線の他面側に接することで、架線を両側から押圧して係合するものである（図９参照）。螺旋部２１は、かかる機能を果たせばよく、その直径は特に制限されるものではなく、また、隣接する螺旋部２１同士の間隔も限定されるものではない。従って、これらの点でも、架線係合部２０は容易に成形可能である。また、螺旋部２１は平面視で円形ではなく、楕円形や角形状等であってもよい。
【００１６】
紐部材係合部３０は、軸部１０の他端側に形成される。具体的には、軸部１０の中途（この折り返された中途部を「他端１１」という）で、該軸部１０に沿うように折り返された折り返し部３１を有する。そして、軸部１０と折り返し部３１とが隣接し合っている部分が紐部材係合部３０となっている。折り返し部３１は、金属製線材を、軸部１０の他端１１から１８０度折り返して形成され、少なくとも一部が軸部１０に密接する密接部３１ａとなっていると共に、ばね材から構成することにより、該折り返し部３１は、軸部１０に密接する方向に常時付勢されることになる。なお、密接部３１ａには、互いに接していて隙間がない場合に限らず、僅かな隙間を有する場合も含む意味であるが、できるだけ隙間がないように付勢されていると、紐部材の挟持力が高まるため好ましい。
【００１７】
紐部材係合部３０の折り返し部３１は、密接部３１ａから端部３１ｂに向かうに従って、軸部１０から離間するように外方に向かって曲げられていることが好ましい。これにより、端部３１ｂと軸部１０との隙間から、紐部材（誘引紐２００）を容易に挿入することができる。
【００１８】
本実施形態の紐部材連結具１は次のように使用される。温室内の上方空間に架け渡された架線１００に、その下方で生育している被支持部材としての植物の茎に結びつけた紐部材である誘引紐２００を連結する場合を例にとり説明する。この場合、まず、誘引紐２００を紐部材係合部３０に係合させる。具体的には、作業者が紐部材連結具１を保持した状態で、誘引紐２００を、折り返し部３１の端部３１ｂと軸部１０との隙間から挿入していく（図８（ａ）参照）。誘引紐２００は、密接部３１ａと軸部１０との間を通過させ、好ましくは、軸部１０の他端１１付近に至るまで挿入する。次に、図８（ａ）に示したように、この軸部１０と折り返し部３１とに挟まれた部分よりも植物寄りの部分を、折り返し部３１に少なくとも１回転巻き付けるようにして、密接部３１ａと軸部１０との間を通過させ、さらに好ましくは、図８（ｂ）に示したように、軸部１０の他端１１付近に至るまで挿入する。
【００１９】
仮に、１本の線材に単に１回転巻き付けただけでは、いずれかの方向に引っ張ると、巻き付け部分は、当然にすぐに広がって解けてしまう。しかし、本実施形態では、折り返し部３１が軸部１０に密接する方向に付勢されている。このため、上記した状態で、誘引紐２００をいずれの方向に引っ張っても、折り返し部３１に巻き付いていた部分が解けて広がろうとするものの、軸部１０と折り返し部３１とが密着し合っているため広がることができず、結果的に折り返し部３１ｂにより強く巻き付いていく。従って、誘引紐２００に結び目が形成されるように結ばれておらず、単に折り返し部３１に巻き付いているだけでありながら、軸部１０と折り返し部３１とからなる紐部材係合部３０は誘引紐２００を挟持した状態で保持できる。
【００２０】
次に、架線係合部２０を架線１００に係合する。具体的には、架線１００の側方より、隣接する螺旋部２１間に該架線１００を位置させ、左右いずれかの方向に回転させる。図９に示したように、回転させることによって、最も外方の螺旋部２１に隣接する螺旋部２１の適宜部位（対向部２１ａ）が、架線１００の上面側となるようにする。その状態で、紐部材連結具１全体を傾斜させながら若干回転させ、最も外方の螺旋部２１における対向部２１ｂ（上記対向部２１ａに架線１００に沿って約１８０度対向する対向部２１ｂ）が、架線１００の下面側となるようにする。
【００２１】
なお、誘引紐２００と植物とを連結するタイミング、誘引紐２００と紐部材係合部３０とを連結するタイミング、架線係合部２０を架線１００に係合するタイミングは任意であり、いずれかの順序で固定されるものではない。作業を行いやすい適宜の順序で行うことができる。
【００２２】
架線１００に架線係合部２０が係合され、紐部材係合部３０に誘引紐２００が連結され、誘引紐２００に植物の茎が連結されている状態では、紐部材連結具１は、植物の重さによって下方に引っ張られる外力が常時働く。これにより、誘引紐２００は、上記したように紐部材係合部３０から抜けることなく、折り返し部３１に強固に巻き付いていく。一方、架線係合部２０は、螺旋部２１における一方の対向部２１ａが架線１００の上面側に位置し、他方の対向部２１ｂが架線１００の下面側に位置しているため、下方への外力が加わった状態では、一方の対向部２１ａが架線１００の上面側に押し付けられ、他方の対向部２１ｂが架線１００の下面側に押し付けられることになり、架線係合部２０は、架線１００上における当該位置で位置ずれすることなく係合することになる。
【００２３】
これにより、架線１００に対して、誘引紐２００を、本実施形態の紐部材連結具１を用いて容易に所定の位置に連結することができる。
【００２４】
紐部材連結具１は、下方に引っ張られる外力によって架線係合部２０の架線１００における係合位置が決定されるため、紐部材連結具１を少しでも傾ければ、対向部２１ａ，２１ｂによる架線１００への挟持力が解除される。従って、その状態で、架線１００に沿って紐部材連結具１を移動させれば、架線係合部２０の係合位置を容易に調整することができる。本実施形態のように、植物の誘引に利用した場合には、係合位置を調整することで、植物の成長に合わせた誘引作業を適切に行うことができる。
【００２５】
一方、誘引紐２００と紐部材係合部３０との連結を解除する必要がある場合には、折り返し部３１に巻き付いている部分を、上方にずらし、折り返し部３１と軸部１０との間から離脱させる。誘引紐２００は、折り返し部３１に少なくとも１回転巻き付いているだけで、結びつけられてはいないため、折り返し部３１と軸部１０との間から離脱させるだけで、容易に連結状態を解除できる。
【００２６】
本実施形態によれば、紐部材係合部３０が軸部１０とこの軸部１０に沿って折り返された折り返し部３１とからなる極めて簡易な形状であると共に、架線係合部２０も単に螺旋状に形成すればよいため、紐部材連結具１全体として、従来よりも製作工程が容易で製作コストを低減できる。
【００２７】
（試験例）
本実施形態の紐部材連結具１の紐部材係合部３０に、紐部材として市販の幅５０ｍｍのＰＰ紐を、折り返し部３１に１回転巻き付けた状態で、荷重試験機で徐々に負荷をかけて一方向に引っ張り、紐部材がスリップを始めた時の力（挟持力）を測定した。測定の度に新しい紐部材に取り替え、１０回測定した。
【００２８】
この試験例の測定結果は、１回目：２．４９ｋｇｆ、２回目：２．９１ｋｇｆ、３回目：２．５６ｋｇｆ、４回目：２．６１ｋｇｆ、５回目：２．７ｋｇｆ、６回目：２．５１ｋｇｆ、７回目：２．６８ｋｇｆ、８回目：２．３５ｋｇｆ、９回目：２．４ｋｇｆ、１０回目２．２４ｋｇｆであり、平均値で２．５４５ｋｇｆであった。
【００２９】
比較のため、特許文献１に示されたように、複数のループから構成された紐部材係合部を形成し、隣接するループ間に誘引紐を１回転巻き付けて挟持させ、上記と同様の測定を行った。なお、比較例の製作に用いた金属製線材の素材、線径は、本試験例で用いた上記実施形態の紐部材連結具１と全く同じである。
【００３０】
比較例の測定結果は、１回目：１．３ｋｇｆ、２回目：１．１１ｋｇｆ、３回目：１．１１ｋｇｆ、４回目：０．９２ｋｇｆ、５回目：０．９ｋｇｆ、６回目：０．８５ｋｇｆ、７回目：０．９１ｋｇｆ、８回目：０．８８ｋｇｆ、９回目：０．８ｋｇｆ、１０回目：０．７７ｋｇｆであり、平均値で０．９５５ｋｇｆであった。
【００３１】
上記した結果より、本実施形態の紐部材連結具１の紐部材係合部３０の方が、簡易な構成であるにも拘わらず、紐部材の挟持力が高いことがわかる。また、本実施形態の紐部材連結具１の挟持力は、測定回数を重ねても高い挟持力を維持しているのに対し、比較例の場合には、１回目から徐々に減少していく傾向を示しており、本実施形態の構造の方がへたりにくい特性を有すると言える。
【産業上の利用可能性】
【００３２】
上記実施形態では、植物の誘引紐２００と架線１００とを連結する場合について説明しているが、本考案の紐部材連結具は、衣類、タオル、靴などを吊すハンガーを所定の高さに架け渡された架線に引っかける場合など、紐部材によって被支持部材を支持し、その紐部材を任意の箇所に架け渡された架線に連結する際の中継部材として種々の用途に利用できる。
【符号の説明】
【００３３】
１  紐部材連結具
１０  軸部
２０  架線係合部
２１  螺旋部
２１ａ，２１ｂ  対向部
３０  紐部材係合部
３１  折り返し部
【図１】
0003183880.tif 000003
【図２】
0003183880.tif 000004
【図３】
0003183880.tif 000005
【図４】
0003183880.tif 000006
【図５】
0003183880.tif 000007
【図６】
0003183880.tif 000008
【図７】
0003183880.tif 000009
【図８】
0003183880.tif 000010
【図９】
0003183880.tif 000011